(57)【特許請求の範囲】
【請求項１】
ウェアラブルデバイスの位置決め方法であって、
ウェアラブルデバイスが、第１端末装置との近距離通信接続が切断されたか否かを検出するステップと、
前記ウェアラブルデバイスが、前記第１端末装置との近距離通信接続が切断されたことを検出した場合、通知メッセージをブロードキャストするステップと、
を含み、
前記通知メッセージは、少なくとも1つの第２端末装置に対して、前記ウェアラブルデバイスとの近距離通信接続を構築し、且つサーバに接続通知を送信するよう指示することにより、前記サーバが前記少なくとも1つの第２端末装置に基づき、前記ウェアラブルデバイスに対し位置決めを行うようにするためのものである、ことを特徴とする方法。
【請求項２】
前記通知メッセージに、前記ウェアラブルデバイスを使用するユーザの身元情報とヘルプ信号が含まれている場合、前記通知メッセージは、前記少なくとも1つの第２端末装置に対して自身の位置情報と前記身元情報をサーバに報告するためのものでもあることを特徴とする請求項１に記載の方法。
【請求項３】
前記ウェアラブルデバイスが、第１端末装置との近距離通信接続が切断されたか否かを検出するステップの前に、前記方法は、
前記ウェアラブルデバイスが、前記第１端末装置から送信される前記身元情報を受信して、ローカルに前記身元情報を記憶するステップ、又は、
前記ウェアラブルデバイスがユーザの入力した前記身元情報を収集して、ローカルに前記身元情報を記憶するステップ
をさらに含むことを特徴とする請求項２に記載の方法。
【請求項４】
前記通知メッセージをブロードキャストするステップは、
前記ウェアラブルデバイスが、ブルートゥースを通じて前記通知メッセージをブロードキャストするステップ、又は、
前記ウェアラブルデバイスが、無線ＬＡＮを通じて前記通知メッセージをブロードキャストするステップ、又は、
前記ウェアラブルデバイスが、基地局信号を通じて前記通知メッセージをブロードキャストするステップ
を含むことを特徴とする請求項１〜３のいずれかの一項に記載の方法。
【請求項５】
前記近距離通信接続に、ブルートゥース接続が含まれる場合、前記ウェアラブルデバイスが、第１端末装置との近距離通信接続が切断されたか否かを検出するステップの前に、前記方法は、
前記ウェアラブルデバイスと前記第１端末装置との間に、ブルートゥース接続を構築するステップ
をさらに含むことを特徴とする請求項１〜３のいずれかの一項に記載の方法。
【請求項６】
位置情報の取得方法であって、
サーバが、第１端末装置から報告される位置情報と、前記第１端末装置に対してウェアラブルデバイスとの接続を切断するよう指示するためのヘルプ情報とを受信するステップと、
前記サーバが、前記位置情報に基づいて、前記第１端末装置から事前設定範囲内にある少なくとも1つの第２端末装置に、モニタリング機能オンのリクエストを送信することにより、前記少なくとも1つの第２端末装置が近距離通信検出機能をオンにして、前記ウェアラブルデバイスと近距離通信接続を構築するようにするステップと
を含むことを特徴とする方法。
【請求項７】
前記サーバが、前記少なくとも1つの第２端末装置が報告する所在の位置情報と、前記ウェアラブルデバイスを使用するユーザの身元情報とを受信して、それぞれの第２端末装置から報告される位置情報に基づき、前記ウェアラブルデバイスに対し位置決めを行うステップをさらに含むことを特徴とする請求項６に記載の方法。
【請求項８】
ウェアラブルデバイスであって、
第１端末装置との近距離通信接続が切断されたか否かを検出するように構成される検出モジュールと、
前記検出モジュールが前記第１端末装置との近距離通信接続が切断されたことを検出した場合、通知メッセージをブロードキャストするように構成される送信モジュールと
を含み、
前記通知メッセージは、少なくとも1つの第２端末装置に対して前記ウェアラブルデバイスとの近距離通信接続を構築し、且つサーバに接続通知を送信するよう指示することにより、前記サーバが前記少なくとも1つの第２端末装置に基づき前記ウェアラブルデバイスに対し位置決めを行うようにするためのものである、ことを特徴とするウェアラブルデバイス。
【請求項９】
前記第１端末装置から送信される身元情報を受信するように構成される受信モジュールと、
ローカルに前記身元情報を記憶するように構成される第１記憶モジュールと、又は、
ユーザの入力した身元情報を収集するように構成される収集モジュールと、
ローカルに前記身元情報を記憶するように構成される第２記憶モジュールと
をさらに含み、
前記通知メッセージに、前記ウェアラブルデバイスを使用するユーザの前記身元情報とヘルプ信号が含まれている場合、前記通知メッセージは、前記少なくとも1つの第２端末装置に対して自身の位置情報と前記身元情報をサーバに報告するよう指示するためのものでもあることを特徴とする請求項８に記載のウェアラブルデバイス。
【請求項１０】
前記送信モジュールは、
ブルートゥースを通じて前記通知メッセージをブロードキャストするように構成される第１送信ユニット、又は、
無線ＬＡＮを通じて前記通知メッセージをブロードキャストするように構成される第２送信ユニット、又は、
基地局信号を通じて前記通知メッセージをブロードキャストするように構成される第３送信ユニット
を含むことを特徴とする請求項８又は９に記載のウェアラブルデバイス。
【請求項１１】
前記近距離通信接続に、ブルートゥース接続が含まれる場合、前記ウェアラブルデバイスは、
前記第１端末装置との間にブルートゥース接続を構築するように構成されるブルートゥース通信モジュールをさらに含むことを特徴とする請求項８又は９に記載のウェアラブルデバイス。
【請求項１２】
第１端末装置から報告される位置情報と、前記第１端末装置に対してウェアラブルデバイスとの接続を切断するよう指示するためのヘルプ情報とを受信するように構成される第１受信モジュールと、
前記位置情報に基づき、前記第１端末装置から事前設定範囲内にある少なくとも1つの第２端末装置へ、モニタリング機能オンのリクエストを送信することにより、前記少なくとも1つの第２端末装置が近距離通信検出機能をオンにして、前記ウェアラブルデバイスと近距離通信接続を構築する、ように構成される送信モジュールと
を含むことを特徴とするサーバ。
【請求項１３】
前記少なくとも１つの第２端末装置が報告する所在の位置情報と、前記ウェアラブルデバイスを使用するユーザの身元情報とを受信するように構成される第２受信モジュールと、
それぞれの第２端末装置から報告される位置情報に基づき、前記ウェアラブルデバイスに対し位置決めを行うように構成される処理モジュールと
をさらに含むことを特徴とする請求項１２に記載のサーバ。
【請求項１４】
送信器と、実行可能なインストラクションの実行を制御するように構成されるプロセッサと、プロセッサにより実行可能なインストラクションを記憶するように構成されるメモリとを含み、
前記プロセッサは、第１端末装置との近距離通信接続が切断されたか否かを検出するように構成され、
前記送信器は、前記プロセッサが、ウェアラブルデバイスと前記第１端末装置との近距離通信接続が切断されたことを検出した場合、通知メッセージをブロードキャストするように構成され、前記通知メッセージは、少なくとも1つの第２端末装置に対して、前記ウェアラブルデバイスとの近距離通信接続を構築し、且つサーバに接続通知を送信するよう指示することにより、前記サーバが前記少なくとも1つの第２端末装置に基づき、前記ウェアラブルデバイスに対し位置決めを行うようにするためのものである、ことを特徴とするウェアラブルデバイス。
【請求項１５】
端末装置において、
受信器と、送信器と、実行可能なインストラクションの実行を制御するように構成されるプロセッサと、プロセッサにより実行可能なインストラクションを記憶するように構成されるメモリとを含み、
前記受信器は、ウェアラブルデバイスのブロードキャストした、前記端末装置に対して、前記ウェアラブルデバイスとの近距離通信接続を構築し、且つ接続通知をサーバに報告するよう指示するための、通知メッセージを受信するように構成され、
前記プロセッサは、前記ウェアラブルデバイスとの近距離通信接続を構築するように構成され、
前記送信器は、前記サーバに接続通知を送信することにより、前記サーバがそれぞれの第２端末装置に基づき前記ウェアラブルデバイスに対し位置決めを行う、ように構成され、前記接続通知は、前記第２端末装置に対して前記ウェアラブルデバイスとの近距離通信接続を構築するよう指示するためのものである、ことを特徴とする端末装置。
【請求項１６】
受信器と、送信器と、実行可能なインストラクションの実行を制御するように構成されるプロセッサと、プロセッサにより実行可能なインストラクションを記憶するように構成されるメモリとを含み、
前記受信器は、第１端末装置から報告される位置情報と、前記第１端末装置に対してウェアラブルデバイスとの接続を切断するよう指示するためのヘルプ情報とを受信するように構成され、
前記送信器は、前記位置情報に基づき、前記第１端末装置から事前設定範囲内にある少なくとも1つの第２端末装置に、モニタリング機能オンのリクエストを送信することにより、前記少なくとも1つの第２端末装置が近距離通信検出機能をオンにして、前記ウェアラブルデバイスと近距離通信接続を構築するように構成され、
前記受信器は、前記少なくとも１つの第２端末装置が報告する所在の位置情報と、前記ウェアラブルデバイスを使用するユーザの身元情報とを受信するように構成され、
前記プロセッサは、それぞれの第２端末装置から報告される位置情報に基づき前記ウェアラブルデバイスに対し位置決めを行うように構成される、ことを特徴とするサーバ。
【請求項１７】
プロセッサに実行されることにより、請求項１から請求項７のいずれか１項に記載の方法を実現することを特徴とするプログラム。
【請求項１８】
請求項１７に記載のプログラムが記録された記録媒体。
【発明の詳細な説明】
【技術分野】
【０００１】
本発明はコンピュータ技術に関し、特にウェアラブルデバイスの位置決め方法及び装置、プログラム及び記録媒体に関する。
【０００２】
本発明は、出願番号がＣＮ２０１５１０５８９７０６．０であって、出願日が２０１５年０９月１６日である中国特許出願に基づき優先権を主張し、当該中国特許出願のすべての内容を本願に援用する。
【背景技術】
【０００３】
現在、スマート端末装置の普及に伴い、派生する周辺製品の利用も普及されている。例えば、紛失防止機能を有する腕輪が挙げられる。よく使われる腕輪は、以下の２種類があるが、その一種として、ブルートゥース等の無線通信手段を利用して、親の端末装置と接続を構築することにより、腕輪を装着している子供が親から一定の距離を離れると、ブルートゥース接続が切断され、親の端末装置が警告音を鳴らすように構成される腕輪がある。しかし、この場合、人の密集した場所にいると親が迅速に子供を見つけ出すことに不利になってしまう。
【発明の概要】
【０００４】
本発明は、腕輪を装着している子供が親と逸れて、ブルートゥース接続を切断された後、人の密集した場所であれば、子供を見つけ出しにくいという課題を解決するためのウェアラブルデバイスの位置決め方法及び装置、プログラム及び記録媒体を提供する。
【０００５】
本発明の実施例に係る第１様態によれば、
ウェアラブルデバイスの位置決め方法であって、
ウェアラブルデバイスが、第１端末装置との近距離通信接続が切断されたか否かを検出するステップと、
前記ウェアラブルデバイスが、前記第１端末装置との近距離通信接続が切断されたことを検出した場合、通知メッセージをブロードキャストするステップと、
を含み、
前記通知メッセージは、少なくとも1つの第２端末装置に対して、前記ウェアラブルデバイスとの近距離通信接続を構築し、且つサーバに接続通知を送信するよう指示することにより、前記端末装置が前記少なくとも1つの第２端末装置に基づき、前記ウェアラブルデバイスに対し位置決めを行うようにするためのものである、
方法を提供する。
【０００６】
第１様態と結合して、第１様態の一つ目の実行可能な実施形態において、
前記通知メッセージに、前記ウェアラブルデバイスを使用するユーザの身元情報とヘルプ信号が含まれている場合、前記通知メッセージは、前記少なくとも1つの第２端末装置に対して自身の位置情報と前記身元情報をサーバに報告するためのものでもある。
【０００７】
第１様態と結合して、第１様態の二つ目の実行可能な実施形態において、
前記ウェアラブルデバイスが、第１端末装置との近距離通信接続が切断されたか否かを検出するステップの前に、前記方法は、
前記ウェアラブルデバイスが、前記第１端末装置から送信される前記身元情報を受信して、ローカルに前記身元情報を記憶するステップ、又は、
前記ウェアラブルデバイスがユーザの入力した前記身元情報を収集して、ローカルに前記身元情報を記憶するステップ
をさらに含む。
【０００８】
第１様態と結合して、第１様態の三つ目の実行可能な実施形態において、
前記通知メッセージをブロードキャストするステップは、
前記ウェアラブルデバイスが、ブルートゥースを通じて前記通知メッセージをブロードキャストするステップ、又は、
前記ウェアラブルデバイスが、無線ＬＡＮを通じて前記通知メッセージをブロードキャストするステップ、又は、
前記ウェアラブルデバイスが、基地局信号を通じて前記通知メッセージをブロードキャストするステップ
を含む。
【０００９】
第１様態と結合して、第１様態の四つ目の実行可能な実施形態において、
前記近距離通信接続に、ブルートゥース接続が含まれる場合、前記ウェアラブルデバイスが、第１端末装置との近距離通信接続が切断されたか否かを検出するステップの前に、前記方法は、
前記ウェアラブルデバイスと前記第１端末装置との間に、ブルートゥース接続を構築するステップ
をさらに含む。
【００１０】
本発明の実施例に係る第２様態によれば、
ウェアラブルデバイスの位置決め方法であって、
第２端末装置が、ウェアラブルデバイスのブロードキャストした、前記第２端末装置に対して前記ウェアラブルデバイスとの近距離通信接続を構築し、且つサーバに接続通知を報告するよう指示するための、通知メッセージを受信するステップと、
前記第２端末装置が、前記ウェアラブルデバイスとの近距離通信接続を構築し、前記サーバに、前記第２端末装置に対して前記ウェアラブルデバイスと近距離通信接続を構築するよう指示するための接続通知を送信することにより、前記サーバがそれぞれの第２端末装置に基づき前記ウェアラブルデバイスに対し位置決めを行うようにするステップと
を含む方法を提供する。
【００１１】
第２様態と結合して、第２様態の一つ目の実行可能な実施形態において、
前記通知メッセージに、前記ウェアラブルデバイスを使用するユーザの身元情報とヘルプ信号が含まれている場合、前記方法は、
前記第２端末装置が、自身の位置情報と前記身元情報を前記サーバに報告するステップをさらに含む。
【００１２】
第２様態と結合して、第２様態の二つ目の実行可能な実施形態において、
前記第２端末装置がウェアラブルデバイスのブロードキャストする通知メッセージを受信するステップの前、前記方法は、
前記第２端末装置が、サーバから送信されるモニタリング機能オンのリクエストを受信するステップと、
前記第２端末装置が、前記モニタリング機能オンのリクエストに基づき、近距離通信検出機能をオンにして、前記ウェアラブルデバイスと近距離通信接続を構築するステップと
をさらに含む。
【００１３】
第２様態と結合して、第２様態の三つ目の実行可能な実施形態において、
前記近距離通信接続に、ブルートゥース接続が含まれる場合、前記第２端末装置が前記ウェアラブルデバイスと近距離通信接続を構築するステップは、
前記第２端末装置が前記ウェアラブルデバイスとブルートゥース接続を構築するステップを含む。
【００１４】
本発明の実施例に係る第３様態によれば、
ウェアラブルデバイスの位置決め方法であって、
サーバが、第１端末装置から報告される位置情報と、前記第１端末装置に対してウェアラブルデバイスとの接続を切断するよう指示するためのヘルプ情報とを受信するステップと、
前記サーバが、前記位置情報に基づいて、前記第１端末装置から事前設定範囲内にある少なくとも1つの第２端末装置に、モニタリング機能オンのリクエストを送信することにより、前記少なくとも1つの第２端末装置が近距離通信検出機能をオンにして、前記ウェアラブルデバイスと近距離通信接続を構築するようにするステップと
を含む方法を提供する。
【００１５】
第３様態と結合して、第３様態の一つ目の実行可能な実施形態において、
前記方法は、
前記サーバが、前記少なくとも1つの第２端末装置が報告する所在の位置情報と、前記ウェアラブルデバイスを使用するユーザの身元情報とを受信して、それぞれの第２端末装置から報告される位置情報に基づき、前記ウェアラブルデバイスに対し位置決めを行うステップをさらに含む。
【００１６】
本発明の実施例に係る第４様態によれば、
第１端末装置との近距離通信接続が切断されたか否かを検出するように構成される検出モジュールと、
前記検出モジュールが前記第１端末装置との近距離通信接続が切断されたことを検出した場合、通知メッセージをブロードキャストするように構成される送信モジュールと
を含み、
前記通知メッセージは、少なくとも1つの第２端末装置に対して前記ウェアラブルデバイスとの近距離通信接続を構築し、且つサーバに接続通知を送信するよう指示することにより、前記端末装置が前記少なくとも1つの第２端末装置に基づき前記ウェアラブルデバイスに対し位置決めを行うようにするためのものであるウェアラブルデバイスを提供する。
【００１７】
第４様態と結合して、第４様態の一つ目の実行可能な実施形態において、
前記ウェアラブルデバイスは、
前記第１端末装置から送信される身元情報を受信するように構成される受信モジュールと、
ローカルに前記身元情報を記憶するように構成される第１記憶モジュールと、又は、
ユーザの入力した身元情報を収集するように構成される収集モジュールと、
ローカルに前記身元情報を記憶するように構成される第２記憶モジュールと
をさらに含み、
ここで、前記通知メッセージに、前記ウェアラブルデバイスを使用するユーザの前記身元情報とヘルプ信号が含まれている場合、前記通知メッセージは、前記少なくとも1つの第２端末装置に対して自身の位置情報と前記身元情報をサーバに報告するよう指示するためのものでもある。
【００１８】
第４様態と結合して、第４様態の二つ目の実行可能な実施形態において、
前記送信モジュールは、
ブルートゥースを通じて前記通知メッセージをブロードキャストするように構成される第１送信ユニット、又は、
無線ＬＡＮを通じて前記通知メッセージをブロードキャストするように構成される第２送信ユニット、又は、
基地局信号を通じて前記通知メッセージをブロードキャストするように構成される第３送信ユニット
を含む。
【００１９】
第４様態と結合して、第４様態の三つ目の実行可能な実施形態において、
前記近距離通信接続に、ブルートゥース接続が含まれる場合、前記ウェアラブルデバイスは、
前記第１端末装置との間にブルートゥース接続を構築するように構成されるブルートゥース通信モジュールをさらに含む。
【００２０】
本発明の実施例に係る第５様態によれば、
ウェアラブルデバイスのブロードキャストした、前記端末装置に対して前記ウェアラブルデバイスとの近距離通信接続を構築し、且つ接続通知をサーバに報告するよう指示するための、通知メッセージを受信するように構成される第１受信モジュールと、
前記ウェアラブルデバイスとの近距離通信接続を構築するように構成される通信モジュールと、
前記サーバに、前記第２端末装置に対して前記ウェアラブルデバイスと近距離通信接続を構築するよう指示するための接続通知を送信して、前記サーバがそれぞれの第２端末装置に基づき前記ウェアラブルデバイスに対し位置決めを行うように構成される送信モジュールと
を含む端末装置を提供する。
【００２１】
第５様態と結合して、第５様態の一つ目の実行可能な実施形態において、
前記通知メッセージに、前記ウェアラブルデバイスを使用するユーザの身元情報とヘルプ信号が含まれている場合、前記送信モジュールは、所在の位置情報と前記身元情報を前記サーバに報告するようにも構成される。
【００２２】
第５様態と結合して、第５様態の二つ目の実行可能な実施形態において、
サーバから送信されるモニタリング機能オンのリクエストを受信するように構成される第２受信モジュールと、
前記モニタリング機能オンのリクエストに基づき、制御により近距離通信検出機能をオンにして、前記通信モジュールが前記ウェアラブルデバイスと近距離通信接続を構築するように、構成される処理モジュールと
をさらに含む。
【００２３】
第５様態と結合して、第５様態の三つ目の実行可能な実施形態において、
前記近距離通信接続に、ブルートゥース接続が含まれる場合、前記通信モジュールは、
前記ウェアラブルデバイスとブルートゥース接続を構築するように構成されるブルートゥース通信ユニットを含む。
【００２４】
本発明の実施例に係る第６様態によれば、
第１端末装置から報告される位置情報と、前記第１端末装置に対してウェアラブルデバイスとの接続を切断するよう指示するためのヘルプ情報とを受信するように構成される第１受信モジュールと、
前記位置情報に基づき、前記第１端末装置から事前設定範囲内にある少なくとも1つの第２端末装置へ、モニタリング機能オンのリクエストを送信することにより、前記少なくとも1つの第２端末装置が近距離通信検出機能をオンにして、前記ウェアラブルデバイスと近距離通信接続を構築する、ように構成される送信モジュールと
を含むサーバを提供する。
【００２５】
第６様態と結合して、第６様態の一つ目の実行可能な実施形態において、
前記サーバは、
前記少なくとも１つの第２端末装置が報告する所在の位置情報と、前記ウェアラブルデバイスを使用するユーザの身元情報とを受信するように構成される第２受信モジュールと、
それぞれの第２端末装置から報告される位置情報に基づき、前記ウェアラブルデバイスに対し位置決めを行うように構成される処理モジュールと
をさらに含む。
【００２６】
本発明の実施例に係る第７様態によれば、
送信器と、
実行可能なインストラクションの実行を制御するように構成されるプロセッサと、
プロセッサにより実行可能なインストラクションを記憶するように構成されるメモリと
を含み、
前記プロセッサは、第１端末装置との近距離通信接続が切断されたか否かを検出するように構成され、
前記送信器は、前記プロセッサが、ウェアラブルデバイスと前記第１端末装置との近距離通信接続が切断されたことを検出した場合、通知メッセージをブロードキャストするように構成され、前記通知メッセージは、少なくとも1つの第２端末装置に対して、前記ウェアラブルデバイスとの近距離通信接続を構築し、且つサーバに接続通知を送信するよう指示することにより、前記端末装置が前記少なくとも1つの第２端末装置に基づき、前記ウェアラブルデバイスに対し位置決めを行うようにするためのものである
ウェアラブルデバイスを提供する。
【００２７】
本発明の実施例に係る第８様態によれば、
受信器と、
送信器と、
実行可能なインストラクションの実行を制御するように構成されるプロセッサと、
プロセッサにより実行可能なインストラクションを記憶するように構成されるメモリと
を含み、
前記受信器は、ウェアラブルデバイスのブロードキャストした、前記端末装置に対して、前記ウェアラブルデバイスとの近距離通信接続を構築し、且つ接続通知をサーバに報告するよう指示するための、通知メッセージを受信するように構成され、
前記処理モジュールは、前記ウェアラブルデバイスとの近距離通信接続を構築するように構成され、
前記送信器は、前記サーバに接続通知を送信することにより、前記サーバがそれぞれの第２端末装置に基づき前記ウェアラブルデバイスに対し位置決めを行う、ように構成され、前記接続通知は、前記第２端末装置に対して前記ウェアラブルデバイスとの近距離通信接続を構築するよう指示するためのものである、
端末装置を提供する。
【００２８】
本発明の実施例に係る第９様態によれば、
受信器と、
送信器と、
実行可能なインストラクションの実行を制御するように構成されるプロセッサと、
プロセッサにより実行可能なインストラクションを記憶するように構成されるメモリと
を含み、
前記受信器は、第１端末装置から報告される位置情報と、前記第１端末装置に対してウェアラブルデバイスとの接続を切断するよう指示するためのヘルプ情報とを受信するように構成され、
前記送信器は、前記位置情報に基づき、前記第１端末装置から事前設定範囲内にある少なくとも1つの第２端末装置に、モニタリング機能オンのリクエストを送信することにより、前記少なくとも1つの第２端末装置が近距離通信検出機能をオンにして、前記ウェアラブルデバイスと近距離通信接続を構築するように構成され、
前記受信器は、前記少なくとも１つの第２端末装置が報告する所在の位置情報と、前記ウェアラブルデバイスを使用するユーザの身元情報とを受信するように構成され、
前記プロセッサは、それぞれの第２端末装置から報告される位置情報に基づき前記ウェアラブルデバイスに対し位置決めを行うように構成される、
サーバを提供する。
本発明の実施例に係る第１０態様によれば、
プロセッサに実行されることにより、第1態様乃至第３態様の何れかの一つによる前記方法を実現するプログラムを提供する。
本発明の実施例に係る第１１態様によれば、
第１０態様による前記プログラムが記録されている記録媒体を提供する。
【００２９】
本発明の実施例により提供された技術案によれば、以下のような有益な効果が得られる。
【００３０】
ウェアラブルデバイスは、第１端末装置との接続が切断された後、通知メッセージをブロードキャストして、周囲の第２端末装置と近距離通信接続を構築し、その後、第２端末装置は、接続しているウェアラブルデバイスのＩＤをサーバに報告し、サーバは、複数の第２端末装置に基づき、ウェアラブルデバイスの位置に対し位置決めを行い、ウェアラブルデバイスの位置情報を確認する。これにより、第１端末装置がウェアラブルデバイスとの接続が切断された後でも、ウェアラブルデバイスの位置を迅速に確認できることが確保できる。
【００３１】
本発明は、ウェアラブルデバイスが、身元情報とヘルプ情報を周囲の第２端末装置に通知し、第２端末装置が、当該ウェアラブルデバイスの身元情報と第２端末装置の自身の所在の位置情報をサーバに報告することにより、サーバが複数の位置情報に基づきウェアラブルデバイスに対して迅速に位置決めを行うようにする。
【００３２】
本発明に係るウェアラブルデバイスは、第１端末装置との接続が切断された際に周囲の第２端末装置にヘルプ情報を送信できるように、第１端末装置との接続が切断される前に、当該ウェアラブルデバイスを使用するユーザの身元情報を取得する必要がある。
【００３３】
本発明において、ウェアラブルデバイスは、接続が切断された後に救助を求める場合、ブルートゥース、無線ネットワーク、基地局等の如何なる方式を通じて、ブロードキャストメッセージを送信し、アプリケーションシーンを広げることができ、単一の救助方式に限らず、サーバがウェアラブルデバイスに対しより速く、より確実に位置決めを行うことができるようにする。
【００３４】
本発明において、実施コストを節約するために、端末装置とウェアラブルデバイスの間にブルートゥース接続を利用することが好ましい。
【００３５】
本発明に係る第２端末装置は、付近のウェアラブルデバイスから送信された通知メッセージを受信した後、それと接続を構築して、当該ウェアラブルデバイスと接続を構築したことをサーバに報告することにより、サーバがこれらの第２端末装置に基づき、当該ウェアラブルデバイスに対し位置決めを行って、当該ウェアラブルデバイスの位置を確認するようにする。
【００３６】
本発明は、第２端末装置がウェアラブルデバイスの身元情報を取得し、且つ当該身元情報と第２端末装置の自身の所在の位置情報をサーバに報告することにより、サーバが複数の位置情報に基づき、ウェアラブルデバイスに対して迅速に位置決めを行うようにする。
【００３７】
本発明は、第２端末装置がサーバのインストラクションを受信して、近距離通信検出機能をオンにし、サーバは、第１端末装置の周囲にある第２端末装置を制御してウェアラブルデバイスの探索に協力することにより、ウェアラブルデバイスに対する位置決めを実現する。
【００３８】
本発明において、実施コストを節約するために、端末装置とウェアラブルデバイスの間にブルートゥース接続を利用することが好ましい。
【００３９】
本発明は、第１端末装置が自身の位置及びヘルプ情報を報告し、ウェアラブルデバイスとの接続が切断されたことをサーバに報告して、サーバが当該位置情報に基づき、第１端末装置の周囲の事前設定範囲内にある第２端末装置に、モニタリングオンのリクエストを送信して、サーバによ周囲の端末装置を制御して、当該ウェアラブルデバイスを探索することにより、ウェアラブルデバイスに対する位置決めを高速で、効率良く実現する。
【００４０】
本発明において、第２端末装置は自身の所在の位置情報を報告し、サーバは複数の第２端末装置の位置情報に基づき、ウェアラブルデバイスに対してより精確に、より高速に位置決めを行う。
【００４１】
なお、上述の一般的な記載及び後述の詳細な記載は、単なる例示的で解釈であり、本発明に対する限定として見なしてはいけない。
【図面の簡単な説明】
【００４２】
以下の図面は、明細書に組み込まれて本願明細書の一部分となり、本願発明に係る実施例を示し、且つ明細書とともに、本発明の原理の説明に用いられる。
【００４３】
【図１】例示的な一実施例に係るウェアラブルデバイスの位置決め方法の実施例１のフローチャートである。
【図２】例示的な一実施例に係るウェアラブルデバイスの位置決め方法の実施例２のフローチャートである。
【図３】例示的な一実施例に係るウェアラブルデバイスの位置決め方法の実施例３のフローチャートである。
【図４】例示的な一実施例に係るウェアラブルデバイスの位置決め方法の実施例４のフローチャートである。
【図５】例示的な一実施例に係るウェアラブルデバイスの位置決め方法の実施例５のフローチャートである。
【図６】例示的な一実施例に係るウェアラブルデバイスの位置決め方法のインタラクションの実例のフローチャートである。
【図７】例示的な一実施例に係るウェアラブルデバイスの実施例１のブロック図である。
【図８】例示的な一実施例に係るウェアラブルデバイスの実施例２のブロック図である。
【図９】例示的な一実施例に係るウェアラブルデバイスの実施例３のブロック図である。
【図１０】例示的な一実施例に係るウェアラブルデバイスの実施例４のブロック図である。
【図１１】例示的な一実施例に係る端末装置の実施例１のブロック図である。
【図１２】例示的な一実施例に係る端末装置の実施例２のブロック図である。
【図１３】例示的な一実施例に係る端末装置の実施例３のブロック図である。
【図１４】例示的な一実施例に係るサーバの実施例１のブロック図である。
【図１５】例示的な一実施例に係るサーバの実施例２のブロック図である。
【図１６】例示的な一実施例に係るウェアラブルデバイスの実体のブロック図である。
【図１７】例示的な一実施例に係る端末装置の実体のブロック図である。
【図１８】例示的な一実施例に係るサーバの実体のブロック図である。
【図１９】例示的な一実施例に係るウェアラブルデバイスの位置決めシステム的概略図である。
【図２０】例示的な一実施例に係るウェアラブルデバイス６００のブロック図である。
【図２１】例示的な一実施例に係る端末装置１２００のブロック図である。
【図２２】例示的な一実施例に係るサーバ１９００のブロック図である。
【発明を実施するための形態】
【００４４】
以下、図面に示されている例示的な実施例をより詳しく説明するようにする。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付された特許請求の範囲に記載の本発明の一部の態様に係る装置及び方法の例に過ぎない。
【００４５】
図１は、例示的な一実施例に係るウェアラブルデバイスの位置決め方法の実施例１のフローチャートである。図１に示すように、当該ウェアラブルデバイスの位置決め方法は、主にウェアラブルデバイス側に用いられるものであり、当該ウェアラブルデバイスは、よく使われる腕輪、腕時計等のような直接装着されるスマートデバイスであってもよい。第１端末装置とウェアラブルデバイスと接続が切断された後、周囲の他の端末装置により、当該ウェアラブルデバイスに対する迅速な位置決めを実現する。当該ウェアラブルデバイスの位置決め方法は、以下のステップを含む。
【００４６】
ステップＳ１０１において、ウェアラブルデバイスは、第１端末装置との近距離通信接続が切断されたか否かを検出する。
【００４７】
ステップＳ１０１において、当該ウェアラブルデバイス自身が探知機能を備えるため、当初接続されていた第１端末装置との接続が切断された後にも検出を行うことができる。即ち、当該ウェアラブルデバイスが第１端末装置と接続する時に、双方向探知機能をオンにする。ここで、近距離通信接続とは、ブルートゥース接続、近距離無線通信（Ｎｅａｒ Ｆｉｅｌｄ Ｃｏｍｍｕｎｉｃａｔｉｏｎ、ＮＦＣ）等のような、一定の距離範囲内でしか行えない無線通信方式を指す。
【００４８】
ステップＳ１０２において、前記ウェアラブルデバイスは、前記第１端末装置との近距離通信接続が切断されたことを検出した場合、通知メッセージをブロードキャストし、前記通知メッセージは、少なくとも1つの第２端末装置に対して、前記ウェアラブルデバイスとの近距離通信接続を構築し、且つサーバに接続通知を送信するよう指示することにより、前記端末装置が前記少なくとも1つの第２端末装置に基づき、前記ウェアラブルデバイスに対し位置決めを行うようにするためのものである。
【００４９】
本発明の実施例において、ウェアラブルデバイスは、当初接続されていた第１端末装置との接続が切断された後、即ち、当該接続を切断されたメッセージを受け取った際、ブルートゥース、及び例えば無線ＬＡＮ、基地局信号等のような他の無線周波数信号を利用して、通知メッセージをブロードキャストする。当該通知メッセージは、当該ウェアラブルデバイスの周辺の一定範囲内にある第２端末装置に、当該装置と当初の端末装置との接続が切断されたことを報告し、且つこれらの第２端末装置との間に近距離無線通信接続を構築することを要求するためのものであり、また当該通知メッセージは、これらの第２端末装置に、当該ウェアラブルデバイスとの接続を構築した後にサーバに通知するよう指示するためのものでもある。これにより、サーバがこれらの第２端末装置の位置を取得できるようにし、当該ウェアラブルデバイスに対する迅速な位置決めを実現する。
【００５０】
具体的な実現において、前記通知メッセージに前記ウェアラブルデバイスを使用するユーザの身元情報とヘルプ信号が含まれている場合、前記通知メッセージは、前記少なくとも1つの第２端末装置に対して、自身の位置情報と前記身元情報をサーバに報告するよう指示するためのものであってもよい。ウェアラブルデバイスのブロードキャストする通知メッセージに、自身の身元情報とヘルプ情報を含む場合、第２端末装置は、全地球測位システム（英語：Ｇｌｏｂａｌ Ｐｏｓｉｔｉｏｎｉｎｇ Ｓｙｓｔｅｍ、略称：ＧＰＳ）を採用して位置決め処理を行い、自身の所在の位置情報を取得し、且つ当該ウェアラブルデバイスの身元情報と第２端末装置の自身の所在の位置情報をサーバに報告することにより、サーバが当該身元情報に対応するウェアラブルデバイスとの近距離通信接続を構築する複数の第２端末装置の位置情報に基づき、はぐれた当該ウェアラブルデバイスについて位置決めを行って位置情報を取得して、迅速に当該ウェアラブルデバイスを発見できる。
【００５１】
本実施例に提供されたウェアラブルデバイスの位置決め方法によれば、ウェアラブルデバイスは、第１端末装置との接続を切断した後、通知メッセージをブロードキャストし、周囲の第２端末装置と近距離通信接続を構築し、その後、第２端末装置は、サーバに接続しているウェアラブルデバイスのＩＤを報告し、サーバは、複数の第２端末装置に基づき、ウェアラブルデバイスの位置に対し位置決めを行って、ウェアラブルデバイスの位置情報を確認する。これにより、第１端末装置とウェアラブルデバイスとの接続が切断された後にも、ウェアラブルデバイスの位置を迅速に確認でき、ウェアラブルデバイスに対する位置決めの速度と正確度を向上する。
【００５２】
図２は、例示的な一実施例に係るウェアラブルデバイスの位置決め方法の実施例２のフローチャートである。図２に示すように、上述の図１に示す実施例を基にして、当該ウェアラブルデバイスの位置決め方法に係る別の一実施例は、以下のステップにより実現される。
【００５３】
ステップＳ２０１において、前記ウェアラブルデバイスは、前記ウェアラブルデバイスを使用するユーザの身元情報を取得する。
【００５４】
ステップＳ２０１において、当該ウェアラブルデバイスは、第１端末装置との接続を構築した後、利用者の身元情報（例えば、氏名、後見人、連絡番号、自宅住所等の情報）を取得する必要があるが、当該情報を取得する方法は、少なくとも以下の２種類がある：
【００５５】
第１種の取得方法として、前記ウェアラブルデバイスは、前記第１端末装置から送信される前記身元情報を受信して、ローカルに前記身元情報を記憶し、ユーザは、第１端末装置により関連する身元情報を入力し、且つ当該ウェアラブルデバイスに送信して記憶する。
【００５６】
第２種の取得方法として、前記ウェアラブルデバイスは、ユーザの入力した前記身元情報を収集して、ローカルに前記身元情報を記憶し、当該ウェアラブルデバイス自身は、例えばタッチパネル、マイクロフォン及びディスプレイスクリーン等のような入力装置を備え、当該ウェアラブルデバイス自身に関連する身元情報を直接入力できる。
【００５７】
ステップＳ２０２において、ウェアラブルデバイスは、第１端末装置との近距離通信接続が切断されたか否かを検出する。
【００５８】
ステップＳ２０３において、前記ウェアラブルデバイスは、前記第１端末装置との近距離通信接続が切断されたことを検出した場合、通知メッセージをブロードキャストし、前記通知メッセージに、前記ウェアラブルデバイスを使用するユーザの身元情報とヘルプ信号が含まれている場合、前記通知メッセージは、前記少なくとも1つの第２端末装置に対して、自身の位置情報と前記身元情報をサーバに報告するよう指示するためのものである。
【００５９】
本発明の実施例において、当該ウェアラブルデバイスは、自身と第１端末装置との近距離通信接続が切断されたことを検出した後、周囲に通知メッセージをブロードキャストするが、その具体的な実現方法は、少なくとも
前記ウェアラブルデバイスがブルートゥースを通じて前記通知メッセージをブロードキャストする方法、又は、
前記ウェアラブルデバイスが無線ＬＡＮを通じて前記通知メッセージをブロードキャストする方法、又は、
前記ウェアラブルデバイスが基地局信号を通じて前記通知メッセージをブロードキャストする方法
を含む。
【００６０】
周囲の第２端末装置が、当該機能に参加することを認める場合、一定の時間間隔で近距離通信接続をオンにし、当該通知メッセージを受信した場合、第２端末装置が接続を認めた後、当該ウェアラブルデバイスと接続を構築して、位置情報及び前記身元情報をサーバに通知して、サーバが当該ウェアラブルデバイスに対し位置決めを行うようにすることができる。
【００６１】
上述の二つの実施例において、１つの方法としては、当該ウェアラブルデバイスは、前記第１端末装置との間にブルートゥース接続を構築するが、前記近距離通信接続がブルートゥース接続に限定されない。ブルートゥース接続が切断されたことを発見した後、周囲の第２端末装置とのブルートゥース接続を再び構築し、且つ関連情報を伝達してもよい。
【００６２】
本実施例に提供されたウェアラブルデバイスの位置決め方法において、ウェアラブルデバイスは、接続が切断された際に周囲の第２端末装置にヘルプ情報を送り出すことができるように、第１端末装置と接続が切断される前に、当該ウェアラブルデバイスを使用するユーザの身元情報を取得する必要があり、第１端末装置との接続が切断された後、救助を求める場合、ブルートゥース、無線ネットワーク、基地局等の如何なる方式を通じてブロードキャストメッセージを送信して、アプリケーションシーンを広げることができ、単なる救助を求める方式に限らず、サーバがウェアラブルデバイスに対しより迅速、且つ正確に位置決めを行うことができ、また、端末装置とウェアラブルデバイスの間でブルートゥース接続を利用することにより、コストを節約することができる。
【００６３】
図３は、例示的な一実施例に係るウェアラブルデバイスの位置決め方法の実施例３のフローチャートである。図３に示すように、当該ウェアラブルデバイスの位置決め方法は、主に第２端末装置側に用いられ、当該第２端末装置は、例えば、携帯電話、ノートパソコン、タブレットＰＣ等のスマートデバイスのような、近距離通信機能を有する端末装置であってもよいが、当該ウェアラブルデバイスの位置決めを実現する方法は、以下のステップにより実現される。
【００６４】
ステップＳ３０１において、第２端末装置は、ウェアラブルデバイスのブロードキャストした、前記第２端末装置に対して前記ウェアラブルデバイスとの近距離通信接続を構築し、且つサーバに接続通知を報告するよう指示するための、通知メッセージを受信する。
【００６５】
ステップＳ３０２において、前記第２端末装置は、前記ウェアラブルデバイスと近距離通信接続を構築し、且つ前記サーバに接続通知を送信することにより、前記サーバがそれぞれの第２端末装置に基づき前記ウェアラブルデバイスに対し位置決めを行うようにし、前記接続通知は、前記第２端末装置に対して前記ウェアラブルデバイスとの近距離通信接続を構築するよう指示するためのものである。
【００６６】
本発明の実施例において、当該第２端末装置は、上述のウェアラブルデバイス周囲の、当該機能に参加することを認める端末装置であり、近距離通信の実現可能な範囲内に存在するウェアラブルデバイスと、当初接続されていた第１端末装置との接続が切断された後、第２端末装置は、ウェアラブルデバイスのブロードキャストする通知メッセージを受信し、当該ウェアラブルデバイスとの接続の構築を認めた後に、接続通知をサーバに送信する。
【００６７】
当該接続通知は、サーバがＩＤにより複数のウェアラブルデバイスを区分して、位置決めの必要なウェアラブルデバイスに対し位置決めを行うことができるように、ウェアラブルデバイスのＩＤを含んでもよい。
【００６８】
本技術案により提供されたウェアラブルデバイスの位置決め方法によれば、第２端末装置が付近のウェアラブルデバイスから送信される通知メッセージを受けた後、それとの接続を構築し、当該ウェアラブルデバイスとの接続を構築したことをサーバに報告することにより、サーバがこれらの第２端末装置に基づき、当該ウェアラブルデバイスに対し位置決めを行って当該ウェアラブルデバイスの位置を確認するようにするため、ウェアラブルデバイスを紛失した後、迅速な位置決めを実現できる。
【００６９】
図４は、例示的な一実施例に係るウェアラブルデバイスの位置決め方法の実施例４のフローチャートである。図４に示すように、本実施例における実行主体が第２端末装置であり、上述の実施例３を基にして、当該アプリケーションバージョン情報を取得する方法は、具体的に以下のステップにより実現される。
【００７０】
ステップＳ４０１において、前記第２端末装置は、サーバから送信されるモニタリング機能オンのリクエストを受信する。
【００７１】
ステップＳ４０２において、前記第２端末装置は、前記ウェアラブルデバイスとの近距離通信接続を構築できるように、前記モニタリング機能オンのリクエストに基づき、近距離通信検出機能をオンにする。
【００７２】
ステップＳ４０３において、第２端末装置は、ウェアラブルデバイスのブロードキャストした、前記第２端末装置に対して、前記ウェアラブルデバイスとの近距離通信接続を構築し、且つサーバに接続通知を報告するよう指示するための、通知メッセージを受信する。
【００７３】
ステップＳ４０４において、前記第２端末装置は、前記ウェアラブルデバイスとの近距離通信接続を構築し、且つ前記サーバに接続通知を送信する。
【００７４】
ステップＳ４０５において、前記第２端末装置は、自身の位置情報と前記身元情報を前記サーバに報告する。
【００７５】
本発明の実施例において、第１端末装置は、ウェアラブルデバイスとの接続が切断されたことを検出した後、自身の所在の位置情報を取得して、サーバに、自身の位置情報及び／又は基地局情報を報告し、且つウェアラブルデバイスに対する位置決めリクエストを送信する。サーバは、当該リクエストを受けた後、当該第１端末装置の周囲にある携帯電話等の第２端末装置に、モニタリング機能オンのリクエストを送信することにより、当該ウェアラブルデバイスの探索に協力することを要求する。周囲の第２端末装置は、それを認めた後、関連する検出機能をオンにして、当該ウェアラブルデバイスとの近距離通信接続を構築する。
【００７６】
これらの第２端末装置は、ＧＰＳ機能により位置決めを実現し、自身の所在の位置情報を取得して、自身の位置情報と前記身元情報を前記サーバに報告し、サーバは、複数の位置情報に基づき、当該ウェアラブルデバイスに対する位置決めを実現し、且つ第１端末装置に通知することにより、当該ウェアラブルデバイスを見つけ出すことができる。
【００７７】
実施コストを低下させるために、前記近距離通信接続は、ブルートゥース接続を含むものの、それに限定されず、第２端末装置とウェアラブルデバイスとの間に構築される接続は、ブルートゥース接続であることが好ましい。当該ウェアラブルデバイスの、その前の第１端末装置との間の接続も、ブルートゥース接続であってもよい。
【００７８】
本実施例に提供されたウェアラブルデバイスの位置決め方法は、第２端末装置がサーバのインストラクションを受信して近距離通信検出をオンにし、サーバにより、ウェアラブルデバイスを探索することに協力させるように第１端末装置の周囲の第２端末装置を制御して、ウェアラブルデバイスを紛失した後、第１端末装置の周囲にある、当該ウェアラブルデバイスと接続を構築している第２端末装置の位置情報に基づき、ウェアラブルデバイスに対する位置決めを実現する。実施コストを節約するため、端末装置とウェアラブルデバイスとの間に、ブルートゥース接続を利用することが好ましい。
【００７９】
図５は、例示的な一実施例に係るウェアラブルデバイスの位置決め方法の実施例５のフローチャートである。図５に示すように、当該ウェアラブルデバイスの位置決め方法は、主にサーバ側に用いられ、当該ウェアラブルデバイスの位置決め方法は、具体的に以下のステップにより実現される。
【００８０】
ステップＳ５０１において、サーバは、第１端末装置から報告される位置情報と、前記第１端末装置に対してウェアラブルデバイスとの接続を切断するよう指示するためのヘルプ情報とを受信する。
【００８１】
ステップＳ５０２において、前記サーバは、前記位置情報に基づいて、前記第１端末装置から事前設定範囲内にある少なくとも1つの第２端末装置に、モニタリング機能オンのリクエストを送信することにより、前記少なくとも1つの第２端末装置が近距離通信検出機能をオンにして、前記ウェアラブルデバイスが近距離通信接続を構築するようにする。
【００８２】
ステップＳ５０３において、前記サーバは、前記少なくとも1つの第２端末装置が報告する所在の位置情報と、前記ウェアラブルデバイスを使用するユーザの身元情報とを受信して、それぞれの第２端末装置から報告される位置情報に基づき、前記ウェアラブルデバイスに対し位置決めを行う。
【００８３】
本発明の実施例において、サーバは、第１端末装置の送信した自身の位置情報及びヘルプ情報を受信して、ウェアラブルデバイスに対し位置決めを行うことを要求し、第１端末装置は、ウェアラブルデバイスとの接続が切断されたことをサーバに報告し、サーバは、当該位置情報に基づき、第１端末装置の周囲の事前設定範囲内にある第２端末装置にモニタリングオンのリクエストを送信し、第２端末装置は、自身の所在の位置情報を報告し、サーバを通じて当該ウェアラブルデバイスを探索させるように周囲の第２端末装置を制御することにより、ウェアラブルデバイスに対する位置決めを高速、且つ効率良く実現する。
【００８４】
図６は、例示的な一実施例に係るウェアラブルデバイスの位置決め方法のインタラクションの実例のフローチャートである。上述の図１〜図５に示した実施例を基にして、図６に示すように、本実施例は、ウェアラブルデバイス、第２端末装置及びサーバ間のインタラクション実施例を示して、当該ウェアラブルデバイスの位置決め方法に関わる実現ステップについて、以下のように詳しく説明する。
【００８５】
ステップＳ６０１において、ウェアラブルデバイスは、第１端末装置との接続が切断されたか否かを検出する。
【００８６】
ステップＳ６０２において、ウェアラブルデバイスは、第１端末装置との接続が切断されたことを検出した後、通知メッセージをブロードキャストする。
【００８７】
ステップＳ６０３において、第２端末装置は、通知メッセージを受信して、近距離通信検出機能をオンにする。
【００８８】
ステップＳ６０４において、第２端末装置は、ウェアラブルデバイスとの間に近距離通信接続を構築する。
【００８９】
ステップＳ６０５において、第２端末装置は、サーバに接続通知、位置情報及びウェアラブルデバイスの身元情報を報告する。
【００９０】
ステップＳ６０６において、サーバが複数の第２端末装置の位置情報に基づき、ウェアラブルデバイスに対し位置決めを行い、当該ウェアラブルデバイスの位置情報を取得する。
【００９１】
本発明の実施例において、第１端末装置は、当該ウェアラブルデバイスとの接続が切断されたことを検出した後、自身の位置情報と位置決めリクエストをサーバに報告して、サーバに対しウェアラブルデバイスに対する位置決めに協力するよう要求してもよい。サーバは、第１端末装置がウェアラブルデバイスを見つけ出すことができるように、ウェアラブルデバイスの位置情報を得た後、されに第１端末装置に通知してもよい。
【００９２】
上述の複数の各実施例を組み合わせた技術案は、紛失したウェアラブルデバイスを見つけ出すことに用いることができ、子供又は老人が逸れた後、装着されている装置からのリクエストにより、はぐれた子供又は老人を見つけ出すことにも用いることができる。本技術案に記載されたウェアラブルデバイスは、部分的な計算機能を具備し、且つ携帯電話及び各種類の端末に接続可能な携帯式部品の形で存在することが多いが、その主流の製品形態としては、手首で支えられるｗａｔｃｈ系（腕時計、手首バンドと腕輪等の製品を含む）、足で支えられるｓｈｏｅｓ系（靴、靴下又は将来の他のレッグに装着する製品を含む）、頭部で支えられるＧｌａｓｓ系（メガネ、ヘルメット、ヘッドバンド等を含む）があるが、スマートな服装、通学鞄、歩行杖、アクセサリー等の各種類の非主流製品形態等を含むが、具体的な応用について、本発明が限定しない。
【００９３】
以下、一つの実例で本発明の技術案を説明する。子供の装着する腕輪を例にすると、腕輪は、親の携帯電話とブルートゥース接続を構築し、携帯電話とブルートゥース接続を構築する際に双方向探知をオンにし（即ち、当該ブルートゥース接続が切断された後にも、腕輪の検出を行うことができる）、ブルートゥース又は他の無線周波数信号（例えば、ｗｉｆｉ等）を利用して、ブロードキャストメッセージを送信する。当該腕輪の周囲の携帯電話は、この機能に参加することに認めた場合、一定の間隔でブルートゥーススキャンをオンにして、当該腕輪とブルートゥース接続を構築する。且つ、あるＩＤの腕輪と接続を構築したことをサーバに報告し、サーバは、これらの携帯電話に基づき、腕輪に対し位置決めを行うことができる。
【００９４】
実行可能なもう1つの技術案として、親の携帯電話は、腕輪とのブルートゥース接続が切断されたことを検出した場合、自身の位置情報、基地局などの情報を自動的にサーバに報告して、サーバが、周囲にある携帯電話又は、付近の基地局の携帯電話を自動的に総括して、ブルートゥースモニタリング機能をオンにする。周囲の携帯電話が当該機能に参加することを認め、且つ当該腕輪とブルートゥース接続を構築すると、これらの携帯電話は、自身のＧＰＳ情報と子供の腕輪の情報を直ちにサーバに報告すると、サーバは、これらの携帯電話から報告される腕輪情報及びＧＰＳに基づいて、当該腕輪に対し位置決めを行う。
【００９５】
本発明に提供されたウェアラブルデバイスの位置決め方法によれば、ウェアラブルデバイス自身又はサーバにより、当該ウェアラブルデバイスの周囲の端末装置が、自動的にモニタリングモードに入るようにトリガーして、ウェアラブルデバイスのブロードキャストする情報をモニタリングし、周囲の端末装置と動的に接続を構築するようにし、これらの端末装置は、位置情報をサーバに報告し、サーバは、当該装着可能な腕輪に対し位置決めを行い、位置情報を得ることにより、当該ウェアラブルデバイスを迅速に見つけ出すことができるようにする。実施コストを節約するためには、ブルートゥース接続を利用することが好ましい。
【００９６】
本発明に提供されたアプリケーションバージョン情報を取得する方法によれば、アプリケーションストアにおいて、他のアプリケーションの最新バージョンを自動的に検出でき、且つ、すべてのアプリケーション市場における検出待ちのアプリケーションの最新バージョンを取得できるため、開発者に連絡してアプリケーションをアップグレードしやすくなり、従来技術における手動検出を自動検出に変えて、労働コストを効率よく節約して、検出の正確度を向上させる。
【００９７】
図７は、例示的な一実施例に係るウェアラブルデバイスの実施例１のブロック図である。図７に示すように、当該ウェアラブルデバイス１０は、
第１端末装置との近距離通信接続が切断されたか否かを検出するように構成される検出モジュール１１と、
前記検出モジュールが前記第１端末装置との近距離通信接続が切断されたことを検出した場合、通知メッセージをブロードキャストするように構成される送信モジュール１２と
を含み、
前記通知メッセージは、少なくとも1つの第２端末装置に対して、前記ウェアラブルデバイスとの近距離通信接続を構築し、且つサーバに接続通知を送信するよう指示することにより、前記端末装置が前記少なくとも1つの第２端末装置に基づき、前記ウェアラブルデバイスに対し位置決めを行うようにするためのものである。
【００９８】
上述の図７に示した実施例を基にして、図８は、例示的な一実施例に係るウェアラブルデバイスの実施例２のブロック図である。図８に示すように、当該ウェアラブルデバイス１０は、
前記第１端末装置から送信される身元情報を受信するように構成される受信モジュール１３と、
ローカルに前記身元情報を記憶するように構成される第１記憶モジュール１４と、
又は、
ユーザの入力した身元情報を収集するように構成される収集モジュール１５と、
ローカルに前記身元情報を記憶するように構成される第２記憶モジュール１６と
をさらに含み、
ここで、前記通知メッセージに、前記ウェアラブルデバイスを使用するユーザの前記身元情報とヘルプ信号が含まれている場合、前記通知メッセージは、前記少なくとも1つの第２端末装置に対して自身の位置情報と前記身元情報をサーバに報告するよう指示するためのものでもある。
【００９９】
上述の図７又は図８に示した実施例を基にして、図９は、例示的な一実施例に係るウェアラブルデバイスの実施例３のブロック図である。図９に示すように、当該ウェアラブルデバイス１０の前記送信モジュール１２は、
ブルートゥースを通じて前記通知メッセージをブロードキャストするように構成される第１送信ユニット１２１、又は、
無線ＬＡＮを通じて前記通知メッセージをブロードキャストするように構成される第２送信ユニット１２２、又は、
基地局信号を通じて前記通知メッセージをブロードキャストするように構成される第３送信ユニット１２３
を含む。
【０１００】
上述の図７〜図９に示した実施例を基にして、図１０は、例示的な一実施例に係るウェアラブルデバイスの実施例４のブロック図である。図１０に示すように、前記近距離通信接続にブルートゥース接続が含まれる場合、前記ウェアラブルデバイス１０は、前記第１端末装置との間にブルートゥース接続を構築するように構成されるブルートゥース通信モジュール１７をさらに含む。
【０１０１】
上述の各実施例中のウェアラブルデバイスについて、各モジュールの操作を実行する具体的な方式と技術的効果を図１〜図６に示した方法に関わる実施例においてすでに詳しく説明したため、ここでは重複した説明を省略する。
【０１０２】
図１１は、例示的な一実施例に係る端末装置の実施例１のブロック図である。図１１に示すように、当該端末装置２０は、
ウェアラブルデバイスのブロードキャストした、前記端末装置に対して、前記ウェアラブルデバイスとの近距離通信接続を構築し、且つ接続通知をサーバに報告するよう指示するための、通知メッセージを受信するように構成される第１受信モジュール２１と、
前記ウェアラブルデバイスとの近距離通信接続を構築するように構成される通信モジュール２２と、
前記サーバがそれぞれの第２端末装置に基づき前記ウェアラブルデバイスに対し位置決めを行うように、前記サーバに、前記第２端末装置に対して前記ウェアラブルデバイスと近距離通信接続を構築するよう指示するための接続通知を送信するように構成される送信モジュール２３と
を含む。
【０１０３】
前記通知メッセージに、前記ウェアラブルデバイスを使用するユーザの身元情報とヘルプ信号が含まれている場合、前記送信モジュールは、所在の位置情報と前記身元情報を前記サーバに報告するように構成されてもよい。
【０１０４】
上述の図１１に示した実施例を基にして、図１２は、例示的な一実施例に係る端末装置の実施例２のブロック図である。図１２に示すように、当該端末装置２０は、
サーバから送信されるモニタリング機能オンのリクエストを受信するように構成される第２受信モジュール２４と、
前記通信モジュールが前記ウェアラブルデバイスと近距離通信接続を構築するように、前記モニタリング機能オンのリクエストに基づき、近距離通信検出機能をオンするように制御するための処理モジュール２５と
をさらに含む。
【０１０５】
上述の図１１又は図１２に示した実施例を基にして、図１３は、例示的な一実施例に係る端末装置の実施例３のブロック図である。図１３に示すように、前記近距離通信接続には、ブルートゥース接続が含まれる場合、前記通信モジュール２２は、
前記ウェアラブルデバイスとブルートゥース接続を構築するように構成されるブルートゥース通信ユニット２２１
を含む。
【０１０６】
上述の各実施例中の端末装置について、各モジュールの操作を実行する具体的な方式と技術的効果を図１〜図６に示した方法に関わる実施例においてすでに詳しく説明したため、ここでは重複した説明を省略する。
【０１０７】
図１４は、例示的な一実施例に係るサーバの実施例１のブロック図である。図１４に示すように、当該サーバ３０は、
第１端末装置から報告される位置情報と、前記第１端末装置に対してウェアラブルデバイスとの接続を切断するよう指示するためのヘルプ情報とを受信するように構成される第１受信モジュール３１と、
前記位置情報に基づき、前記第１端末装置から事前設定範囲内にある少なくとも1つの第２端末装置に、モニタリング機能オンのリクエストを送信することにより、前記少なくとも1つの第２端末装置が近距離通信検出機能をオンにして、前記ウェアラブルデバイスが近距離通信接続を構築するように構成される送信モジュール３２と
を含む。
【０１０８】
上述の図１４に示した実施例を基にして、図１５は、例示的な一実施例に係るサーバの実施例２のブロック図であり、図１５に示すように、当該サーバ３０は、
前記少なくとも１つの第２端末装置が報告する所在の位置情報と、前記ウェアラブルデバイスを使用するユーザの身元情報とを受信するように構成される第２受信モジュール３３と、
それぞれの第２端末装置から報告される位置情報に基づき、前記ウェアラブルデバイスに対し位置決めを行うように構成される処理モジュール３４と
をさらに含む。
【０１０９】
上述の各実施例中のサーバについて、各モジュールの操作を実行する具体的な方式と技術的効果を図１〜図６に示した方法に関わる実施例ですでに詳しく説明したため、ここでは重複した説明を省略する。
【０１１０】
以上は、ウェアラブルデバイスの内部機能モジュールと概略構成を説明した。図１６は、例示的な一実施例に係るウェアラブルデバイスの実体のブロック図である。図１６に示すように、当該ウェアラブルデバイスは、具体的に、
送信器と、実行可能なインストラクションの実行を制御するように構成されるプロセッサと、プロセッサにより実行可能なインストラクションを記憶するように構成されるメモリとを含んで実現されてもよく、
前記プロセッサは、第１端末装置との近距離通信接続が切断されたか否かを検出するように構成され、
前記送信器は、前記プロセッサが、ウェアラブルデバイスと前記第１端末装置との近距離通信接続が切断されたことを検出した場合、通知メッセージをブロードキャストするように構成され、前記通知メッセージは、少なくとも1つの第２端末装置に対して、前記ウェアラブルデバイスとの近距離通信接続を構築し、且つサーバに接続通知を送信するよう指示することにより、前記端末装置が前記少なくとも1つの第２端末装置に基づき、前記ウェアラブルデバイスに対し位置決めを行うようにするためのものである。
【０１１１】
以上は、端末装置の内部機能モジュールと概略構成を説明した。図１７は、例示的な一実施例に係る端末装置の実体のブロック図である。図１７に示すように、当該端末装置は、具体的に、
受信器と、送信器と、実行可能なインストラクションの実行を制御するように構成されるプロセッサと、プロセッサにより実行可能なインストラクションを記憶するように構成されるメモリと
を含んで実現されてもよく、
前記受信器は、ウェアラブルデバイスのブロードキャストした、前記端末装置に対して、前記ウェアラブルデバイスとの近距離通信接続を構築し、且つ接続通知をサーバに報告するよう指示するための、通知メッセージを受信するように構成され、
前記処理モジュールは、前記ウェアラブルデバイスとの近距離通信接続を構築するように構成され、
前記送信器は、前記サーバに接続通知を送信することにより、前記サーバがそれぞれの第２端末装置に基づき前記ウェアラブルデバイスに対し位置決めを行う、ように構成され、前記接続通知は、前記第２端末装置に対して前記ウェアラブルデバイスとの近距離通信接続を構築するよう指示するためのものである。
【０１１２】
以上は、サーバの内部機能モジュールと概略構成を説明した。図１８は、例示的な一実施例に係るサーバの実体のブロック図である。図１８に示すように、当該サーバは、具体的に
受信器と、送信器と、実行可能なインストラクションの実行を制御するように構成されるプロセッサと、プロセッサにより実行可能なインストラクションを記憶するように構成されるメモリと
を含んで実現されてもよく、
前記受信器は、第１端末装置から報告される位置情報と、前記第１端末装置に対してウェアラブルデバイスとの接続を切断するよう指示するためのヘルプ情報とを受信するように構成され、
前記送信器は、前記位置情報に基づき、前記第１端末装置から事前設定範囲内にある少なくとも1つの第２端末装置に、モニタリング機能オンのリクエストを送信することにより、前記少なくとも1つの第２端末装置が近距離通信検出機能をオンにして、前記ウェアラブルデバイスと近距離通信接続を構築するように構成され、
前記受信器は、前記少なくとも１つの第２端末装置が報告する所在の位置情報と、前記ウェアラブルデバイスを使用するユーザの身元情報とを受信するように構成され、
前記プロセッサは、それぞれの第２端末装置から報告される位置情報に基づき前記ウェアラブルデバイスに対し位置決めを行うように構成される。
【０１１３】
上述のウェアラブルデバイス、端末装置とサーバの実体の実施例において、プロセッサが中央処理ユニット（英語：Ｃｅｎｔｒａｌ Ｐｒｏｃｅｓｓｉｎｇ Ｕｎｉｔ、略称：ＣＰＵ）であってもよく、他の汎用プロセッサ、デジタル信号プロセッサ（英語：Ｄｉｇｉｔａｌ Ｓｉｇｎａｌ Ｐｒｏｃｅｓｓｏｒ、略称：ＤＳＰ）、特定用途向け集積回路（英語：Ａｐｐｌｉｃａｔｉｏｎ Ｓｐｅｃｉｆｉｃ Ｉｎｔｅｇｒａｔｅｄ Ｃｉｒｃｕｉｔ、略称：ＡＳＩＣ）等であってもよいことを理解すべきである。汎用プロセッサはマイクロプロセッサであってもよく、又は、当該プロセッサは如何なる通常のプロセッサ等であってもよく、前述のメモリは読出し専用メモリ（英語：ｒｅａｄ−ｏｎｌｙ ｍｅｍｏｒｙ、略記：ＲＯＭ）、ランダムアクセスメモリ（英語：ｒａｎｄｏｍ ａｃｃｅｓｓ ｍｅｍｏｒｙ、略称：ＲＡＭ）、フラッシュメモリ、ハードディスクや、ソリッドステートディスクであってもよい。本発明の実施例に開示された方法を組み合わせてなるステップは、ハードウェアプロセッサにより実行されて完成されてもよく、又は、プロセッサ中のハードウェアとソフトウェアモジュールとの組み合わせにより実行されて完成されてもよい。
【０１１４】
図１９は、例示的な一実施例に係るウェアラブルデバイスの位置決めシステム的概略図である。図１９に示すように、当該ウェアラブルデバイスの位置決めシステムは、
ウェアラブルデバイスと、
サーバと、
少なくとも1つの第２端末装置と
を含み、
前記ウェアラブルデバイスは、
第１端末装置との近距離通信接続が切断されたか否かを検出し、
前記第１端末装置との近距離通信接続が切断されたことを検出した場合、通知メッセージをブロードキャストするように構成され、
前記通知メッセージは、少なくとも1つの第２端末装置に対して、前記ウェアラブルデバイスとの近距離通信接続を構築し、且つサーバに接続通知を送信するよう指示することにより、前記端末装置が前記少なくとも1つの第２端末装置に基づき、前記ウェアラブルデバイスに対し位置決めを行うようにするためのものであり、
それぞれの第２端末装置は、
ウェアラブルデバイスのブロードキャストした、前記第２端末装置に対して、前記ウェアラブルデバイスとの近距離通信接続を構築し、且つ接続通知をサーバに報告するよう指示するための、通知メッセージを受信し、
前記ウェアラブルデバイスとの近距離通信接続を構築し、且つ前記サーバに接続通知を送信して、前記サーバがそれぞれの第２端末装置に基づき前記ウェアラブルデバイスに対し位置決めを行うように構成され、
前記接続通知は、前記第２端末装置に対して前記ウェアラブルデバイスと近距離通信接続を構築するよう指示するためのものであり、
前記サーバは、
第１端末装置から報告される位置情報と、前記第１端末装置に対してウェアラブルデバイスとの接続を切断するよう指示するためのヘルプ情報とを受信して、
前記位置情報に基づき、前記第１端末装置から事前設定範囲内にある少なくとも1つの第２端末装置に、モニタリング機能オンのリクエストを送信することにより、前記少なくとも1つの第２端末装置が近距離通信検出機能をオンにして、前記ウェアラブルデバイスが近距離通信接続を構築するようにし、
前記少なくとも１つの第２端末装置が報告する所在の位置情報と、前記ウェアラブルデバイスを使用するユーザの身元情報とを受信して、それぞれの第２端末装置から報告される位置情報に基づき、前記ウェアラブルデバイスに対し位置決めを行うように構成される。
【０１１５】
図２０は、例示的な一実施例に係るウェアラブルデバイス６００のブロック図である。当該ウェアラブルデバイス６００は、スマートウォッチ、腕輪、装着可能なフィットネス設備や、装着可能な医療機器等であってもよく、図２０に示すように、処理アセンブリ６０２、メモリ６０４、電源アセンブリ６０６、センサアセンブリ６１４及び通信アセンブリ６１６よりなる群から選ばれた少なくとも１つのアセンブリを備えてもよい。
【０１１６】
マルチメディアアセンブリ６０８、オーディオアセンブリ６１０、及び入力／出力インターフェース６１２等をさらに含んでもよい。
【０１１７】
処理アセンブリ６０２は、一般的には、ウェアラブルデバイス６００の全体の操作、例えば、表示、データ通信、マルチメディア操作及び記録操作に関連する操作を制御する。処理アセンブリ６０２は、上述の方法におけるステップの一部又は全部を実現できるように、インストラクションを実行する少なくとも１つのプロセッサ６２０を備えてもよい。なお、処理アセンブリ６０２は、他のアセンブリとのインタラクションの便宜上、少なくとも１つのモジュールを備えてもよい。例えば、処理アセンブリ６０２は、マルチメディアアセンブリ６０８とのインタラクションの便利を図るために、マルチメディアモジュールを備えてもよい。
【０１１８】
メモリ６０４は、ウェアラブルデバイス６００における操作を支援するための、各種のデータを記憶するように構成される。これらのデータの例として、ウェアラブルデバイス６００において操作される何れのアプリケーション又は方法に関するインストラクション、各種類のデータ、メッセージ、画像、ビデオ等を含む。メモリ６０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【０１１９】
電源アセンブリ６０６は、ウェアラブルデバイス６００の各種アセンブリに電力を供給するためのものであり、電源管理システム、１つ又は複数の電源、及びウェアラブルデバイス６００のために電力を生成、管理及び分配することに関連のある他のアセンブリを備えてもよい。
【０１２０】
マルチメディアアセンブリ６０８は、ウェアラブルデバイス６００とユーザとの間に出力インターフェースを提供するためのスクリーンを備える。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。
【０１２１】
オーディオアセンブリ６１０は、オーディオ信号を出力及び／又は入力するように構成される。例えば、オーディオアセンブリ６１０は、マイクロフォン（ＭＩＣ）を有してもよい。ウェアラブルデバイス６００が、例えば呼び出しモード、記録モード又は音声認識モードのような操作モードにある場合、マイクロフォンは外部のオーディオ信号を受信するように構成される。受信されたオーディオ信号は、メモリ６０４に格納されてもよく、通信アセンブリ６１６を介して送信されてもよい。何れかの実施例において、オーディオアセンブリ６１０は、オーディオ信号を出力するためのスピーカをさらに備えてもよい。
【０１２２】
Ｉ／Ｏインターフェース６１２は、処理アセンブリ６０２と周辺インターフェースモジュールとの間にインターフェースを提供するためのものである。前記周辺インターフェースモジュールは、キーボード、クリックホイール、ボタン等であってもよい。
【０１２３】
センサアセンブリ６１４は、ウェアラブルデバイス６００のために各方面の状態評価を提供するための少なくとも１つのセンサを備える。例えば、センサアセンブリ６１４は、ウェアラブルデバイス６００のオン／オフ状態や、アセンブリの相対的な位置を検出することができる。例えば、前記アセンブリがウェアラブルデバイス６００のディスプレイ及びキーパッドである場合、センサアセンブリ６１４は、ウェアラブルデバイス６００又はウェアラブルデバイス６００の１つのアセンブリの位置の変化や、ユーザとウェアラブルデバイス６００との接触の有無や、ウェアラブルデバイス６００の方位又は加速／減速や、ウェアラブルデバイス６００の温度変化を検出することができる。センサアセンブリ６１４は、何れの物理的接触もない状況にて付近の物体の有無を検出できるように構成される近接センサを含んでもよい。センサアセンブリ６１４は、さらに、画像表示技術分野に用いられる光センサ、例えばＣＭＯＳ又はＣＣＤ画像センサを含んでもよい。何れかの実施例において、当該センサアセンブリ６１４は、さらに、加速度センサ、ジャイロスコープセンサ、磁気センサ、圧力センサ又は温度センサを含んでもよい。
【０１２４】
通信アセンブリ６１６は、ウェアラブルデバイス６００と他の装置との間の無線又は有線通信が便利になるように構成される。ウェアラブルデバイス６００は、通信標準に基づく無線ネットワーク、例えばＷｉＦｉ、２Ｇ又は３Ｇ、又はそれらの組み合わせにアクセスできる。１つの例示的な実施例において、通信アセンブリ６１６は、ブロードキャストチャンネルを介して外部のブロードキャスト管理システムからのブロードキャスト信号又はブロードキャストに関する情報を受信することができる。１つの例示的な実施例において、前記通信アセンブリ６１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）技術及び他の技術により実現されてもよい。
【０１２５】
例示的な実施例において、ウェアラブルデバイス６００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１２６】
例示的な実施例において、ウェアラブルデバイス６００のプロセッサ６２０により実行されることにより上述の方法を実現可能なインストラクションが記憶され、且つコンピュータに読み取り可能な不揮発性の記録媒体、例えばインストラクションが記憶されているメモリ６０４をさらに提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１２７】
図２１は、例示的な一実施例に係る端末装置１２００のブロック図である。例えば、当該端末装置１２００は、携帯電話、コンピュータ、デジタル放送端末、メッセージ送受信機、タブレットデバイス、医療機器、フィットネス設備、スマートホームデバイス、スマートホームアプライアンスなどのようなインターネット接続可能な設備であってもよい。
【０１２８】
図２１に示すように、端末装置１２００は、処理アセンブリ１２０２、メモリ１２０４、電源アセンブリ１２０６、マルチメディアアセンブリ１２０８、オーディオアセンブリ１２１０、入力／出力（Ｉ／Ｏ）インターフェース１２１２、センサアセンブリ１２１４、及び通信アセンブリ１２１６よりなる群から選ばれた少なくとも１つを備えてもよい。
【０１２９】
処理アセンブリ１２０２は、一般的には、ウェアラブルデバイス１２００の全体の操作、例えば、表示、データ通信、マルチメディア操作及び記録操作に関連する操作を制御する。処理アセンブリ１２０２は、上述の方法におけるステップの一部又は全部を実現できるように、インストラクションを実行する少なくとも１つのプロセッサ１２２０を備えてもよい。なお、処理アセンブリ１２０２は、他のアセンブリとのインタラクションの便宜上、少なくとも１つのモジュールを備えてもよい。例えば、処理アセンブリ１２０２は、マルチメディアアセンブリ１２０８とのインタラクションの便利を図るために、マルチメディアモジュールを備えてもよい。
【０１３０】
メモリ１２０４は、ウェアラブルデバイス１２００における操作を支援するための、各種のデータを記憶するように構成される。これらのデータの例として、ウェアラブルデバイス１２００において操作される何れのアプリケーション又は方法に関するインストラクション、各種類のデータ、メッセージ、画像、ビデオ等を含む。メモリ１２０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【０１３１】
電源アセンブリ１２０６は、ウェアラブルデバイス１２００の各種アセンブリに電力を供給するためのものであり、電源管理システム、１つ又は複数の電源、及びウェアラブルデバイス１２００のために電力を生成、管理及び分配することに関連のある他のアセンブリを備えてもよい。
【０１３２】
マルチメディアアセンブリ１２０８は、ウェアラブルデバイス１２００とユーザとの間に出力インターフェースを提供するためのスクリーンを備える。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。
【０１３３】
オーディオアセンブリ１２１０は、オーディオ信号を出力及び／又は入力するように構成される。例えば、オーディオアセンブリ１２１０は、マイクロフォン（ＭＩＣ）を有してもよい。ウェアラブルデバイス１２００が、例えば呼び出しモード、記録モード又は音声認識モードのような操作モードにある場合、マイクロフォンは外部のオーディオ信号を受信するように構成される。受信されたオーディオ信号は、メモリ１２０４に格納されてもよく、通信アセンブリ１２１６を介して送信されてもよい。何れかの実施例において、オーディオアセンブリ１２１０は、オーディオ信号を出力するためのスピーカをさらに備えてもよい。
【０１３４】
Ｉ／Ｏインターフェース１２１２は、処理アセンブリ１２０２と周辺インターフェースモジュールとの間にインターフェースを提供するためのものである。前記周辺インターフェースモジュールは、キーボード、クリックホイール、ボタン等であってもよい。
【０１３５】
センサアセンブリ１２１４は、ウェアラブルデバイス１２００のために各方面の状態評価を提供するための少なくとも１つのセンサを備える。例えば、センサアセンブリ１２１４は、ウェアラブルデバイス１２００のオン／オフ状態や、アセンブリの相対的な位置を検出することができる。例えば、前記アセンブリがウェアラブルデバイス１２００のディスプレイ及びキーパッドである場合、センサアセンブリ１２１４は、ウェアラブルデバイス１２００又はウェアラブルデバイス１２００の１つのアセンブリの位置の変化や、ユーザとウェアラブルデバイス１２００との接触の有無や、ウェアラブルデバイス１２００の方位又は加速／減速や、ウェアラブルデバイス１２００の温度変化を検出することができる。センサアセンブリ１２１４は、何れの物理的接触もない状況にて付近の物体の有無を検出できるように構成される近接センサを含んでもよい。センサアセンブリ１２１４は、さらに、画像表示技術分野に用いられる光センサ、例えばＣＭＯＳ又はＣＣＤ画像センサを含んでもよい。何れかの実施例において、当該センサアセンブリ１２１４は、さらに、加速度センサ、ジャイロスコープセンサ、磁気センサ、圧力センサ又は温度センサを含んでもよい。
【０１３６】
通信アセンブリ１２１６は、ウェアラブルデバイス１２００と他の装置との間の無線又は有線通信が便利になるように構成される。ウェアラブルデバイス１２００は、通信標準に基づく無線ネットワーク、例えばＷｉＦｉ、２Ｇ又は３Ｇ、又はそれらの組み合わせにアクセスできる。１つの例示的な実施例において、通信アセンブリ１２１６は、ブロードキャストチャンネルを介して外部のブロードキャスト管理システムからのブロードキャスト信号又はブロードキャストに関する情報を受信することができる。１つの例示的な実施例において、前記通信アセンブリ１２１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）技術及び他の技術により実現されてもよい。
【０１３７】
例示的な実施例において、ウェアラブルデバイス１２００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１３８】
例示的な実施例において、ウェアラブルデバイス１２００のプロセッサ１２２０により実行されることにより上述の方法を実現可能なインストラクションが記憶され、且つコンピュータに読み取り可能な不揮発性の記録媒体、例えばインストラクションが記憶されているメモリ１２０４をさらに提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１３９】
図２２は、例示的な一実施例に係るサーバ１９００を示すブロック図である。図２２に示すように、当該サーバ１９００は、処理アセンブリ１９２２を含み、さらに、１つ以上のプロセッサと、処理アセンブリ１９２２により実行可能なインストラクション、例えばアプリケーションプログラムを記憶するためのメモリ１９３２を代表とするメモリリソースと、を含む。メモリ１９３２に記憶されるアプリケーションプログラムは、それぞれ一組のインストラクションに対応する１つ以上のモジュールを含んでもよい。なお、処理アセンブリ１９２２は、上述のウェアラブルデバイスの位置決め方法におけるサーバ側の方案を実行するために、インストラクションを実行するように構成される。
サーバ１９００は、サーバ１９００の電源管理を実施するように構成される電源アセンブリ１９２６と、サーバ１９００をネットワークに接続させるように構成される有線又は無線ネットワークインターフェース１９５０と、入力／出力（Ｉ／Ｏ）インターフェース１９５８とをさらに備えてもよい。サーバ１９００は、メモリ１９３２に記憶されている、例えばＷｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭなどのオペレーティングシステムに基づいて操作することができる。
【０１４０】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【０１４１】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。
【図１】
0006382957.tif 000002
【図２】
0006382957.tif 000003
【図３】
0006382957.tif 000004
【図４】
0006382957.tif 000005
【図５】
0006382957.tif 000006
【図６】
0006382957.tif 000007
【図７】
0006382957.tif 000008
【図８】
0006382957.tif 000009
【図９】
0006382957.tif 000010
【図１０】
0006382957.tif 000011
【図１１】
0006382957.tif 000012
【図１２】
0006382957.tif 000013
【図１３】
0006382957.tif 000014
【図１４】
0006382957.tif 000015
【図１５】
0006382957.tif 000016
【図１６】
0006382957.tif 000017
【図１７】
0006382957.tif 000018
【図１８】
0006382957.tif 000019
【図１９】
0006382957.tif 000020
【図２０】
0006382957.tif 000021
【図２１】
0006382957.tif 000022
【図２２】
0006382957.tif 000023